(57)【要約】【課題】ヘルメットの被り深さを変えることなく、髪型の違いに対応して頭部にフィット可能なヘルメットを提供すること。【解決手段】帽体１０の内側に周状に装着されたヘッドバンド４０と、ヘッドバンド４０の周方向の長さを調節するアジャスト機構（ラチェット歯４５ａ、ロック部４４ａ）と、を備え、ヘッドバンド４０が、帽体１０の前部および側部に配置される部位から成るバンド本体４２と、アジャスト機構を含んで帽体１０の後部に配置される部位から成るアジャストバンド４３とに分割され、バンド本体４２が、帽体１０にハンモック３０を介して支持され、アジャストバンド４３が、バンド本体４２の後部に連結され、アジャストバンド４３とバンド本体４２との連結部であるスライド連結部４６，４７が、バンド本体４２に対するアジャストバンド４３の連結位置を上下方向に変更可能に形成されているヘルメットとした。【選択図】図４
2018059246.tif 000002
【特許請求の範囲】
【請求項１】
帽体と、
前記帽体の内側に周状に装着されたヘッドバンドと、
前記ヘッドバンドの後部に設けられ、前記ヘッドバンドの周方向の長さを調節するアジャスト機構と、
を備え、
前記ヘッドバンドが、前記帽体の前部および側部に配置される部位から成るバンド本体と、前記アジャスト機構を含んで前記帽体の後部に配置される部位から成るアジャストバンドとに分割され、
前記バンド本体が、前記帽体に支持され、
前記アジャストバンドが、前記バンド本体の後部に連結され、
前記アジャストバンドと前記バンド本体との連結部が、前記バンド本体に対する前記アジャストバンドの連結位置を上下方向に変更可能に形成されていることを特徴とするヘルメット。
【請求項２】
請求項１に記載のヘルメットにおいて、
前記連結部は、前記アジャストバンドを前記バンド本体に対して前記上下方向に移動可能とする可動構造部を備えることを特徴とするヘルメット。
【請求項３】
請求項２に記載のヘルメットにおいて、
前記可動構造部は、前記アジャストバンドを前記バンド本体に対し上方へ移動するのに伴い前記帽体の後方向にも変位させ、前記バンド本体に対し下方へ移動するのに伴い前記帽体の前方向にも変位させるよう形成されていることを特徴とするヘルメット。
【請求項４】
請求項２または請求項３に記載のヘルメットにおいて、
前記可動構造部は、前記アジャストバンドを前記バンド本体に対して円弧状に移動させる構造であることを特徴とするヘルメット。
【請求項５】
請求項１〜請求項４のいずれか１項に記載のヘルメットにおいて、
前記帽体は、耳紐を取り付ける耳紐取付部を、左右それぞれの前後２箇所に備え、
前記帽体は、前記バンド本体を取り付けるバンド取付部を、左右それぞれの前後２箇所に備え、
前記連結部は、前後の前記耳紐取付部の中間位置よりも後方であり、かつ、後ろ側の前記バンド取付部よりも前方に配置されていることを特徴とするヘルメット。
【発明の詳細な説明】
【技術分野】
【０００１】
本発明は、安全帽としてのヘルメットに関する。
【背景技術】
【０００２】
従来、ヘルメットとして、ヘルメット装着者の頭部にフィットするように、長さ調節可能なヘッドバンドを備えたヘルメットが知られている（例えば、特許文献１参照）。この従来技術では、ヘッドバンドが、帽体の内側に取り付けられたハンモックに対して取付位置を上下方向に変更可能に取り付けられている。
【０００３】
これにより、ヘルメット装着者は、帽体の被り深さを調節することができる。すなわち、ヘッドバンドの位置を帽体（ハンモック）の上側に配置すると、被りを浅くできる。一方、ヘッドバンドの位置を帽体（ハンモック）の下側に配置すると、被りを深くすることができる。
また、上述のようにヘッドバンドのハンモックに対する取付位置を上下に変更可能に支持するものとしては、特許文献２に記載されたヘルメットも知られている。
【先行技術文献】
【特許文献】
【０００４】
【特許文献１】実開昭５０−４１７１２号公報
【特許文献２】特開２０１６−７５０１８号公報
【発明の概要】
【発明が解決しようとする課題】
【０００５】
近年、女性の社会進出に伴い、建設業界などにも女性が進出し、ヘルメットを着用する機会が増えてきた。また、男性にあっても、ヘアスタイルのバリエーションが広がってきた。加えて、頭部の形状や大きさには個人差がある。したがって、多様な髪型や頭部の形状・大きさ対応してフィット可能なヘルメットが求められる。
しかしながら、上述のようにヘッドバンドのハンモックおよび帽体に対する取付位置を上下方向に移動可能とするだけでは、ヘアスタイルや頭部の形状・大きさによっては、頭部にフィットして被るのが難しい場合がある。
【０００６】
例えば、ポニーテイルのように髪を後ろに束ねている場合、ヘッドバンドを束ねた髪の上から装着すると、十分に頭部を締め付けることができない。
一方、後ろに束ねた髪をヘッドバンドの上を通すことができるように、帽体（ハンモック）に対するヘッドバンドの取付位置を下げた場合、ヘルメットの被り深さまで変化する。特に、女性などのようにヘルメット装着者の頭部が小さい場合は、被り深さが深くなると視界の悪化を招くおそれがある。また、耳にヘッドバンドが当たり、耳が痛くなるおそれがある。
【０００７】
本願発明は、上記問題点に着目して成されたもので、ヘルメットの被り深さを変えることなく、髪型の違いや頭部の形状・大きさに対応して頭部にフィット可能なヘルメットを提供すること目的とする。
【課題を解決するための手段】
【０００８】
本発明のヘルメットは、上記目的を達成するため、帽体と、前記帽体の内側に周状に装着されたヘッドバンドと、前記ヘッドバンドの後部に設けられ、前記ヘッドバンドの周方向の長さを調節するアジャスト機構と、を備え、前記ヘッドバンドが、前記帽体の前部および側部に配置される部位から成るバンド本体と、前記アジャスト機構を含んで前記帽体の後部に配置される部位から成るアジャストバンドとに分割され、前記バンド本体が、前記帽体に支持され、前記アジャストバンドが、前記バンド本体の後部に連結され、前記アジャストバンドと前記バンド本体との連結部が、前記バンド本体に対する前記アジャストバンドの連結位置を上下方向に変更可能に形成されているヘルメットとした。
【０００９】
なお、前記連結部は、前記アジャストバンドを前記バンド本体に対して前記上下方向に移動可能とする可動構造部を備えることが好ましい。
さらに、前記可動構造部は、前記アジャストバンドを前記バンド本体に対し上方へ移動するのに伴い前記帽体の後方向にも変位させ、前記バンド本体に対し下方へ移動するのに伴い前記帽体の前方向にも変位させるよう形成されていることが好ましい。
また、前記帽体は、耳紐を取り付ける耳紐取付部を、左右それぞれの前後２箇所に備え、前記帽体は、前記バンド本体を取り付けるバンド取付部を、左右それぞれの前後２箇所に備え、前記連結部は、前後の前記耳紐取付部の中間位置よりも後方であり、かつ、後ろ側の前記バンド取付部よりも前方に配置されていることが好ましい。
【発明の効果】
【００１０】
本願発明に係るヘルメットは、ヘッドバンドのバンド本体の帽体に対する位置を変えることなくアジャストバンドのみ上下に位置を変更可能である。したがって、バンド本体で得られる被り深さを変えることなく、アジャストバンドの高さを、装着者の後頭部の髪型などに応じて変更可能である。よって、ヘルメットの被り深さを変えることなく、髪型や頭部の形状・大きさの違いに対応して頭部にフィット可能である。
【００１１】
また、位置調節部が可動構造部を備えるものでは、アジャストバンドをバンド本体に対して移動させながらアジャストバンドの高さの調節が可能であり、操作性に優れる。
さらに、可動構造部が、アジャストバンドの上方移動に伴い後方に移動させ、アジャストバンドの下方移動に伴い前方に移動させるものでは、アジャストバンドを上下移動させた場合に、アジャストバンドがヘルメット装着者の頭部の形状に沿って移動することができ、アジャストバンドの上下移動に伴うフィット感の変化を抑えることができる。
そして、位置調節部が、前後の耳紐取付部の中間位置よりも後方であり、かつ、後ろ側のバンド取付部よりも前方位置に配置されているものでは、アジャストバンドを下げた際に、耳紐の間に位置する耳に当たりにくいとともに、その分、アジャストバンドの移動量を大きく確保でき、サイズ調整量を確保できる。
【図面の簡単な説明】
【００１２】
【図１】実施の形態１のヘルメットを斜め下方から見上げた斜視図である。
【図２】実施の形態１のヘルメットを真下から見上げた底面図である。
【図３】実施の形態１のヘルメットに用いたヘッドバンドの展開図である。
【図４】実施の形態１のヘルメットに用いたヘッドバンドの斜視図である。
【図５Ａ】実施の形態１のヘルメットの装着例であってアジャストバンドを上げた状態を示す背面図である。
【図５Ｂ】実施の形態１のヘルメットの装着例であってアジャストバンドを下げた状態を示す背面図である。
【図６】他の実施の形態のヘルメットの要部であるバンド本体へのアジャストバンドの連結部における可動構造部を示す図である。
【発明を実施するための形態】
【００１３】
以下、図面を参照して、本発明のヘルメットの好適な実施の形態について説明する。
本実施の形態のヘルメットは、以下に詳述するように、ヘルメットの被り深さを変えることなく、髪型や頭部の形状・大きさの違いに対応して頭部にフィット可能なものである。
【００１４】
（実施の形態１）
実施の形態１のヘルメットＨは、図１に示すように、帽体１０、ライナ２０、ハンモック３０、ヘッドバンド４０、保持紐５０を備える。
【００１５】
帽体１０は、ポリカーボネイト、ポリエチレンなどの合成樹脂などによりヘルメット着用者の頭部ＨＥ（図５Ａ，図５Ｂ参照）を覆うことが可能な椀状に形成されている。
【００１６】
ライナ２０は、ヘルメット着用者の頭部ＨＥを覆うように帽体１０の内側に沿って装着されている。このライナ２０は、衝撃吸収用の部材であり、発泡ポリエチレン・ポリスチレン共重合体などの発泡材が用いられている。
【００１７】
ハンモック３０は、ヘルメット装着者の頭部に接触するもので、ライナ２０の内側に間隔を空けて配置されて、帽体１０に取り付けられている。このハンモック３０は、樹脂製のもので、放射状に延びる複数のバンド３１を有し、これらバンド３１の先端部が、帽体１０の内面の下縁部に設けられた突起部１１（図１、図２参照）に対して着脱可能に取り付けられている。なお、突起部１１は、バンド３１の先端部の数だけ、帽体１０の内側の周方向の複数箇所（実施の形態１では８箇所）に形成されているが、図１、図２では、一部のみ点線により図示している。
【００１８】
ヘッドバンド４０は、ヘルメット装着者の頭まわりを囲むように装着する部分であり、合成樹脂により帯状に形成され、帽体１０の内周の下端部に沿って配置されるように、ハンモック３０の下端部に取り付けられている。
【００１９】
また、図３、図４に示すように、ヘッドバンド４０は、帽体１０の前部および側部に配置されるバンド本体４２と、帽体１０の後部に配置されるアジャストバンド４３と、を備える。アジャストバンド４３は、周方向の長さを調節可能に構成され、ヘッドバンド４０の長さを調節して、ヘルメット装着者の頭部ＨＥの周囲にフィットするように構成されている。
【００２０】
このヘッドバンド４０のバンド本体４２は、ハンモック３０において周方向の複数箇所（本実施の形態１では、４箇所）に設けられたバンド取付部３２に対して、ヘッドバンド４０に設けられた複数の取付ピン４１（図３．図４参照）を係合してハンモック３０に取り付けられている。そして、このハンモック３０への取り付けは、後述するように、ハンモック３０および帽体１０に対して周方向および上下方向に取付位置を調節可能となっている。
【００２１】
以下に、ヘッドバンド４０のバンド本体４２のハンモック３０への取付構造および長さ調節構造について説明する。
【００２２】
（ヘッドバンドの取付構造）
上述した取付ピン４１は、それぞれ、図３に示すように、バンド本体４２の取付ピン設置片４２ａ，４２ｂ，４２ｃ，４２ｄに設けられている。なお、取付ピン設置片４２ａ，４２ｂは、帽体１０の前部の左右に配置される。また、取付ピン設置片４２ｃ，４２ｄは、帽体１０の後部の左右に配置される。
【００２３】
そして、各取付ピン設置片４２ａ，４２ｂ，４２ｃ，４２ｄは、周方向に長いピン係合長穴４２ｅを、それぞれ、周方向および上下方向に異なる位置に複数備える。本実施の形態１では、帽体１０の前部に配置される取付ピン設置片４２ａ，４２ｂは、ピン係合長穴４２ｅを、上下に２段有するとともに、周方向に２列有する。また、帽体１０の後部に配置される取付ピン設置片４２ｃ，４２ｄは、ピン係合長穴４２ｅを、上下に３段備える。
【００２４】
さらに、各ピン係合長穴４２ｅは、周方向の複数箇所（例えば、２箇所あるいは３箇所）に、取付ピン４１を挿通可能な挿通穴部を備えるとともに、挿通穴部の間は、取付ピン４１の周方向への移動を所定の規制力で制限可能な幅で連通されている。
【００２５】
したがって、各取付ピン設置片４２ａ，４２ｂ，４２ｃ，４２ｄのピン係合長穴４２ｅに対して、取付ピン４１を選択的に挿通することにより、取付ピン４１の設置位置を、周方向および上下方向に調節可能である。そして、取付ピン４１は、ハンモック３０に対して取り付けられるため、バンド本体４２の帽体１０に対する高さ方向の位置および周方向の位置を複数通りに設定可能である。
【００２６】
また、帽体１０の後部の左右に配置される取付ピン設置片４２ｃ，４２ｄは、周方向および上下方向に広がる、カバー部４２ｆを備える。このカバー部４２ｆは、取付ピン設置片４２ｃ，４２ｄのハンモック３０への取付位置を上下に変化させても、ハンモック３０のバンド３１の先端部を帽体１０に取り付けるための突起部１１の内側を常に覆うことができる大きさに形成されている。これにより、突起部１１が、ヘルメット装着者の頭部に当たるのを防止する。
【００２７】
前述したように、ハンモック３０は、取付ピン４１を係合させるバンド取付部３２（図１、図２参照）を備える。このバンド取付部３２は、周知であるので詳細な図示は省略するが、本実施の形態１では、一対のバンド３１，３１の先端部どうしの間に架け渡して形成されている。なお、バンド取付部３２は、取付ピン設置片４２ａ〜４２ｄと同様に略矩形の薄板片に取付ピン４１を係合可能な穴（不図示）を複数備えることで、ハンモック３０（帽体１０）に対するヘッドバンド４０のバンド本体４２の取付位置を、帽体１０の周方向および上下方向の異なる位置に選択可能としている。
【００２８】
以上説明したように、ヘッドバンド４０のバンド本体４２に対する取付ピン４１の設置位置、および、ハンモック３０のバンド取付部３２における取付ピン４１の係合位置を、調節することにより、ハンモック３０（帽体１０）に対するバンド本体４２の取付位置を、上下方向および周方向に調節することができる。
【００２９】
（ヘッドバンドの長さ調節構造）
前述したように、ヘッドバンド４０がヘルメット装着者の頭部ＨＥの周囲にフィットするように、ヘッドバンド４０は、周方向の長さを調節するアジャストバンド４３を備える。
【００３０】
このアジャストバンド４３は、ロックバンド４４とラチェットバンド４５とを備え、それぞれ、バンド本体４２に連結されている。なお、この連結部分の構造については後述する。
【００３１】
ラチェットバンド４５は、ラチェット歯４５ａが周方向に一定間隔で並設されている。ロックバンド４４は、ラチェットバンド４５のラチェット歯４５ａと噛み合うラチェット爪（不図示）を内蔵するロック部４４ａを備える。このロック部４４ａには、ラチェット爪（不図示）のラチェット歯４５ａとの噛合を解除するロック解除レバー４４ｂが設けられている。なお、ロック部４４ａは、ラチェット爪（不図示）に髪が噛みこむのを防止するために、全体がカバー４４ｃに覆われ、その下部からロック解除レバー４４ｂのみが露出している。
【００３２】
（保持紐の構成）
図１、図２に示すように、帽体１０にはヘルメット着用状態を保持するための保持紐５０が取り付けられている。保持紐５０は、帽体１０の左右両側部からそれぞれ略Ｖ字をなすように垂下された左右一対の耳紐５１と、これら耳紐５１の下端間を連結する顎紐５２とを備える。
【００３３】
耳紐５１および顎紐５２にはポリプロピレンなどの樹脂製の繊維を織った合成繊維テープやＥＶＡ樹脂（ エチレン酢酸ビニル共重合体）製のテープなどが用いられる。
【００３４】
また、左右一対の耳紐５１は、それぞれ、前後２箇所の耳紐取付部５１ａ，５１ｂで帽体１０に取り付けられている。なお、本実施の形態１では、耳紐取付部５１ａ，５１ｂは、ハンモック３０のバンド３１を取り付ける突起部１１に取り付けられている。
また、顎紐５２は、耳紐５１に設けられた雌型コネクタ５４と着脱可能な雄型コネクタ５３を備え、両コネクタ５３、５４の着脱により耳紐５１と着脱可能となっている。また、顎紐５２には、長さ調節用のバックル５５により長さを調節可能となっている。
【００３５】
（アジャストバンドの連結部構造）
本実施の形態のアジャストバンド４３は、バンド本体４２に対する連結位置を上下方向に変更可能に形成されており、以下に、その詳細について説明する。
【００３６】
すなわち、アジャストバンド４３のロックバンド４４とラチェットバンド４５とは、図３に示すように、バンド本体４２とは別体に形成され、かつ、バンド本体４２に対してスライド連結部４６，４７を介して上下方向に移動可能に取り付けられている。
【００３７】
なお、スライド連結部４６，４７は、図２に示すように、前後の耳紐取付部５１ａ，５１ｂの前後方向中間位置よりも後方であり、かつ、後ろ側のバンド取付部３２よりも前方位置に配置されている
【００３８】
スライド連結部４６，４７は、同様の構造であり、スライド片４４１，４５１とスライドガイド部４２１と挿通部４２２とを備える。
スライド片４４１，４５１は、ロックバンド４４およびラチェットバンド４５に一体に略長方形の板状に形成されている。
【００３９】
スライドガイド部４２１は、スライド片４４１，４５１を、その幅方向の両端を挟んで配置され、図４に示すように、バンド本体４２と一体に形成されたＬ字断面状の複数の係合片４２１ａを備える。各係合片４２１ａは、スライド片４４１，４５１の幅方向両端面に近接して配置され、スライド片４４１，４５１のバンド本体４２に対する上下方向の移動を許容し、バンド本体４２に対し帽体１０の内外方向の移動を規制する。
挿通部４２２は、バンド本体４２と一体に形成され、スライド片４４１，４５１を挿通可能な門型状に形成されている。
【００４０】
したがって、スライド片４４１，４５１は、スライドガイド部４２１および挿通部４２２にガイドされて、バンド本体４２に対して、上下方向にスライド可能に連結されている。なお、スライド片４４１，４５１は、その可動全域で挿通部４２２に挿通された状態に維持される。
【００４１】
さらに、図４において矢印ＳＬは、スライド連結部４６におけるスライド片４４１（図４では図示省略）のスライド方向を示しており、このスライド方向は、帽体１０の上方（矢印ＵＰ方向）側が帽体１０の後方（矢印ＲＲ）側に傾いている。スライド連結部４７も同様である。
したがって、ロックバンド４４およびラチェットバンド４５は、バンド本体４２に対して上方にスライドさせると帽体１０の前後方向では後方側に変位し、下方にスライドさせると帽体１０の前後方向では前方に変位する。
【００４２】
さらに、スライド片４４１，４５１とバンド本体４２との間には、移動量規制機構４８が設けられている。この移動量規制機構４８は、スライド片４４１、４５１のスライド方向に沿って形成された長穴４８１と、バンド本体４２から立設されて長穴４８１に挿入された係合ピン４８２と、を備える。
【００４３】
したがって、スライド片４４１，４５１のバンド本体４２との上下方向への相対移動量は、係合ピン４８２が長穴４８１に沿って相対移動可能な量、すなわち、長穴４８１の長さに制限されている。
【００４４】
さらに、長穴４８１は、その延在方向の複数箇所（本実施の形態１では３箇所）に、係合ピン４８２と嵌り合うように相対的に幅広となった係合部４８３備える一方、係合部４８３どうしの間の幅が相対的に狭く形成されている。したがって、係合ピン４８２の位置が、係合部４８３の位置で所定の規制力で規制される。これにより、アジャストバンド４３のバンド本体４２に対する上下方向位置も、所定の規制力で規制される。
【００４５】
（実施の形態１の作用）
次に、実施の形態１のヘルメットＨの作用を説明する。
（ヘルメットの被り深さの調節）
ヘルメット装着者は、ヘルメットＨの被り深さを調節する場合、バンド本体４２のハンモック３０への上下方向の取付位置により調節することができる。すなわち、バンド本体４２を相対的にハンモック３０（帽体１０）に対して上側に取り付ければ被りが浅くなり、下側に取り付ければ被りが深くなる。
【００４６】
具体的には、各取付ピン設置片４２ａ，４２ｂ，４２ｃ，４２ｄにおいて取付ピン４１を挿通するピン係合長穴４２ｅを選択することにより、バンド本体４２のハンモック３０（帽体１０）に対する高さを複数段階に設定できる。さらに、ハンモック３０のバンド取付部３２に対する取付ピン４１の取付位置を選択することによってもバンド本体４２のハンモック３０（帽体１０）に対する高さを複数段階に設定できる。
【００４７】
また、本実施の形態１では、帽体１０の前部に位置する取付ピン設置片４２ａ，４２ｂにおける取付ピン４１の取付位置と、帽体１０の後部に位置する取付ピン設置片４２ｃ，４２ｄにおける取付ピン４１の取付位置と、をそれぞれ独立して設定することができる。これにより、帽体１０の前部の被り深さと、後部の被り深さとを頭部ＨＥの形状に応じて調節することができる。
【００４８】
さらに、本実施の形態１では、後部の取付ピン設置片４２ｃ，４２ｄに、上下方向および後方に延びるカバー部４２ｆを設けている。このカバー部４２ｆは、帽体１０の内側に突設した後部の突起部１１の内側を覆っており、このようにカバー部４２ｆが上下方向に延在されているため、ヘッドバンド４０のハンモック３０（帽体１０）に対する取付位置を上下に移動させても、常にカバー部４２ｆが突起部１１を覆うことができる。したがって、突起部１１がヘルメット装着者の頭部ＨＥに当たることが無い。なお、他の突起部１１は、バンド本体４２と帽体１０の内外方向に重なって配置されるため、同様に、頭部ＨＥに当たることはない。
【００４９】
（ヘルメットのフィット感の調節）
ヘルメット装着者は、アジャストバンド４３の長さを調節することでヘッドバンド４０の周長を調節して、ヘルメットＨの装着時のフィット感を調節することができる。
すなわち、図４に示すように、ロックバンド４４のロック部４４ａに対するラチェットバンド４５の挿通量を多くしてアジャストバンド４３の長さを短くすれば、頭部ＨＥに対する締り（フィット感）がきつくなり、上記挿通量を減らしてアジャストバンド４３の長さを長くすれば、頭部ＨＥに対する締り（フィット感）が緩くなる。
【００５０】
以上のように、アジャストバンド４３の長さを調節することでヘルメット装着時のフィット感、すなわち、ヘッドバンド４０のフィット感を任意に設定することができる。
【００５１】
（髪型に応じたアジャストバンドの高さ調節）
本実施の形態１では、ヘルメット装着者の髪型や頭部の形状・大きさに応じてアジャストバンド４３の上下方向の位置を調節することができる。
【００５２】
近年、建設業界などにも女性が進出し、ヘルメットを着用する機会が増えてきた。髪の長い女性は、作業時に、図５Ｂに示すように、髪ＨＲを後ろに束ねる場合がある。また、男性にあっても、ヘアスタイルのバリエーションが広がり、図５Ｂに示すように、髪ＨＲを後ろで束ねる場合がある。加えて、頭部の形状や大きさには個人差がある。
【００５３】
図５Ａは、一般的なヘッドバンド４０の位置に対応するもので、バンド本体４２に対してアジャストバンド４３を相対的に上側に配置した状態を示している。この場合、帽体１０の後端部とアジャストバンド４３との間隔は、寸法Ｈ１としている。
【００５４】
このような一般的なアジャストバンド４３の高さで、例えば、図５Ｂに示すような、後ろで束ねた髪ＨＲの頭部ＨＥにヘルメットＨを装着した場合、束ねた髪ＨＲの上からヘッドバンド４０を締めることになり、十分なフィット感を得るのが困難である。また、この場合、髪ＨＲがハンモック３０を押し上げ、ヘルメットＨの被りが浅くなりがちである。さらに、この場合、ヘッドバンド４０の位置を下げて被りを深くした場合、耳にヘッドバンド４０が当たり、耳が痛くなるおそれがある。
【００５５】
本実施の形態１では、図５Ｂに示すような髪型の場合、アジャストバンド４３をバンド本体４２に対して下げることができる。すなわち、アジャストバンド４３のスライド片４４１，４５１を、バンド本体４２の後端部のスライドガイド部４２１に沿って下方にスライドさせることにより、アジャストバンド４３が帽体１０に固定されたバンド本体４２に対して下がる。
【００５６】
この場合、帽体１０の後端部とアジャストバンド４３との間隔が寸法Ｈ２に広がり、束ねた髪ＨＲを、帽体１０とアジャストバンド４３との間に通すことができる。
そして、このとき、バンド本体４２の高さは変えていないため、ヘルメットＨの被りの深さが変化することなく最適の深さに維持できるとともに、ヘッドバンド４０の内側に束ねた髪ＨＲを間に挟まないため、ヘッドバンド４０によるフィット感も最適な状態に設定できる。したがって、ヘッドバンド４０の位置を下げた場合のように、耳にヘッドバンド４０が当たり、耳が痛くなるおそれもない。
【００５７】
さらに、アジャストバンド４３をバンド本体４２に対して上下するのにあたり、図５Ａに示すように上方に配置した際には、アジャストバンド４３は相対的に後方に変位する。このため、丸みを帯びた頭部ＨＥの後頭部にフィットしやすい。
【００５８】
一方、図５Ｂに示すように下方に配置した際には、アジャストバンド４３が相対的に前方に変位する。したがって、頭部ＨＥの首に近い位置にフィットし易い。すなわち、アジャストバンド４３をバンド本体４２に対して上下移動させるのに伴って、後頭部の湾曲形状に沿って移動し、アジャストバンド４３が上下しても、フィット感が変化しにくい。
【００５９】
（実施の形態１の効果）
以下に、実施の形態１のヘルメットの効果を列挙する。
１）実施の形態１のヘルメットは、
帽体１０と、
帽体１０の内側に周状に装着されたヘッドバンド４０と、
ヘッドバンド４０の後部に設けられ、ヘッドバンド４０の周方向の長さを調節するアジャスト機構（ラチェット歯４５ａ、ロック部４４ａ）と、
を備え、
ヘッドバンド４０が、帽体１０の前部および側部に配置される部位から成るバンド本体４２と、アジャスト機構を含んで帽体１０の後部に配置される部位から成るアジャストバンド４３とに分割され、
バンド本体４２が、帽体１０にハンモック３０を介して支持され、
アジャストバンド４３が、バンド本体４２の後部に連結され、
アジャストバンド４３とバンド本体４２との連結部（スライド連結部４６，４７）が、バンド本体４２に対するアジャストバンド４３の連結位置を上下方向に変更可能に形成されていることを特徴とする。
したがって、バンド本体４２の帽体１０に対する位置を変えることなくアジャストバンド４３のみ上下に位置を変更可能である。これにより、バンド本体４２により規定される被り深さは変更することなく、アジャストバンド４３の高さを髪型に応じて変更可能である。
よって、ヘルメットＨの被り深さを変えることなく、髪型の違いに対応して頭部ＨＥにフィットさせることができる。
【００６０】
２）実施の形態１のヘルメットは、
連結部（スライド連結部４６，４７）は、アジャストバンド４３をバンド本体４２に対して上下方向に移動可能とする可動構造部（スライドガイド部４２１、スライド片４４１，４５１）を備えることを特徴とする。
したがって、アジャストバンド４３はバンド本体４２に対して移動して高さを変更するため、例えば、連結ピンなどで規定される連結位置を変えて高さを変更するものと比較して、操作性に優れる。
【００６１】
３）実施の形態１のヘルメットは、
可動構造部（スライドガイド部４２１、スライド片４４１，４５１）は、アジャストバンド４３をバンド本体４２に対し上方へ移動するのに伴い帽体１０の後方向にも変位させ、バンド本体４２に対し下方へ移動するのに伴い帽体１０の前方向にも変位させるよう形成されていることを特徴とする。
したがって、アジャストバンド４３を上下移動させる際に、後頭部の湾曲形状に沿うように移動させることが可能であり、この上下移動によるフィット感の変化を抑えることができる。
【００６２】
４）実施の形態１のヘルメットは、
帽体１０は、耳紐５１を取り付ける耳紐取付部５１ａ，５１ｂを、左右それぞれの前後２箇所に備え、
帽体１０は、バンド本体４２を取り付けるバンド取付部３２を、左右それぞれの前後２箇所に備え、
連結部（スライド連結部４６，４７）は、前後の耳紐取付部５１ａ，５１ｂの中間位置よりも後方であり、かつ、後ろ側のバンド取付部３２よりも前方に配置されていることを特徴とする。
したがって、アジャストバンド４３を下げた際に、耳紐５１の間に位置する耳に当たりにくいとともに、その分、アジャストバンド４３の移動量を大きく確保でき、サイズ調整量を確保できる。
【００６３】
５）実施の形態１のヘルメットは、
バンド本体４２は、ハンモック３０（帽体１０）に対する上下移動範囲で突起部１１の内側を覆うカバー部４２ｆを備えることを特徴とする。
したがって、バンド本体４２を上下させても、突起部１１が頭部ＨＥに当たることなく快適に装着できる。
【００６４】
（他の実施の形態）
以下に、他の実施の形態について説明する。
なお、他の実施の形態は、実施の形態１の変形例であるため、実施の形態１と共通する構成には実施の形態１と同じ符号を付して説明を省略し、実施の形態１との相違点のみ説明する。
【００６５】
図６は、他の実施の形態のヘルメットの要部であるアジャストバンドとバンド本体との連結部における可動構造部を示す図であり、アジャストバンドをバンド本体に対して円弧状に移動させる例を示す。
【００６６】
図６に示す実施の形態のヘルメットは、アジャストバンド３４３に一体に設けられたスライド片３１０は、円弧状に形成されている。
【００６７】
また、バンド本体３４２に設けられたスライドガイド部３２０は、実施の形態１と同様に係合片３２１および挿通部３２２を備える。そして、係合片３２１は、スライド片３１０の円弧形状に沿って円弧状に配置されているとともに、スライド片３１０の当接部分は、図示を省略するが、スライド片３１０と同様の円弧形状に形成されている。なお、この円弧形状は、実施の形態１と同様に、アジャストバンド３４３をバンド本体３４２に対し上方へ移動するのに伴い帽体１０の後方向に変位させ、下方へ移動するのに伴い帽体１０の前方向に変位させる円弧形状としている。
【００６８】
さらに、アジャストバンド３４３の連結部分には、実施の形態１と同様に、スライド片３１０のスライド位置を段階的に規制する長穴４８１、係合ピン４８２、係合部４８３を備える。なお、長穴４８１は、スライド片３１０の円弧形状に沿う円弧状に形成されている。したがって、スライド片３１０をスライドさせた際に、段階的に位置を規制することができる。
【００６９】
以上の構成の図６に示す実施の形態のヘルメットでは、アジャストバンド３４３を上下移動させる際に、矢印Ｒ１に示すように円弧状に移動することで、後頭部の湾曲形状に沿うように移動させることができる。これにより、アジャストバンド３４３の上下移動によるフィット感の変化を、より抑えることができる。
【００７０】
さらに、この実施の形態では、アジャストバンド３４３を円弧状に移動させるため、円弧の中心に近い連結部分のスライド片３１０の移動量に比べ、図６では図示を省略したアジャストバンド３４３の後端部（ロック部４４ａ）の移動量を大きくできる。これにより、連結部の変位量と後端部の変量とが１：１のものと比較して、少ない操作量に対して後頭部へのフィット部分であるアジャストバンド３４３の変位量を大きくでき、操作性に優れるとともに、連結部に必要な移動量の確保が容易となり設計自由度に優れる。
【００７１】
以上、図面を参照して、本発明の実施の形態を詳述してきたが、具体的な構成は、この実施の形態に限らず、本発明の要旨を逸脱しない程度の設計的変更は、本発明に含まれる。
例えば、アジャストバンドとバンド本体との連結部におけるアジャストバンドの連結位置の上下方向の変更は、実施の形態で示したスライドによる移動に限定されない。例えば、取付ピン設置片４２ａ〜４２ｄと取付ピン４１とを係合させる構造のように、ピンと複数の穴との連結構造を用い、ピンを挿通する穴の位置を選択的することで連結位置を上下方向に変更するようにしてもよい。
【００７２】
また、上記の連結部を可動構造部とする場合も、実施の形態で示したようなスライド片とスライドガイドによる上下移動に限定されない。例えば、レールとスライダのような構造や、長穴とこれに沿って移動するスライダあるいはピンによる移動としてもよい。あるいは、スライド以外にも、連結部を中心として回動しながら上下移動するような構成としてもよい。
また、本実施の形態に係るヘッドバンドは、帽体に直接的、間接的に取り付けられていればよく、ライナおよび／またはハンモックを有しないヘルメットにも適用することができる。
【符号の説明】
【００７３】
１０   帽体
１１   突起部
３０   ハンモック
３２   バンド取付部
４０   ヘッドバンド
４３   アジャストバンド
４４   ロックバンド
４４ａ ロック部（アジャスト機構）
４５   ラチェットバンド
４５ａ ラチェット歯（アジャスト機構）
４６   スライド連結部（連結部：可動構造部）
４７   スライド連結部（連結部：可動構造部）
５１   耳紐
５１ａ，５１ｂ       耳紐取付部
４２１ スライドガイド部（可動構造部）
４４１ スライド片（可動構造部）
４５１ スライド片（可動構造部）
ＨＥ   頭部
ＨＲ   （束ねた）髪
【図１】
2018059246.tif 000003
【図２】
2018059246.tif 000004
【図３】
2018059246.tif 000005
【図４】
2018059246.tif 000006
【図５Ａ】
2018059246.tif 000007
【図５Ｂ】
2018059246.tif 000008
【図６】
2018059246.tif 000009